(57)【特許請求の範囲】
【請求項１】
先端を閉じて尖らせた刺部となし、この刺部とは反対側の基端を開放したパイプ状の外管と、この外管内に、密接状態で挿入可能となすとともに、該挿入状態でそれぞれの中心線を中心に前記外管と相対的に回転変位可能となし、その基端にグリップを設けたパイプ状の内管とからなり、前記外管の側面に、前記刺部近傍と前記基端の間に所定間隔をおいて複数の外管穴部を一直線上に配置する一方、前記内管に、前記挿入状態において前記各外管穴部に対応位置し得る内管穴部をそれぞれの側面に有し、軸方向両端面を閉鎖してなる前記外管穴部と同数のケース部を設けた二重管穀刺であって、外管の基端には内周に回転ガイド溝を形成し、この回転ガイド溝から前記外管とは反対側端まで伸びる挿入ガイド溝を設けたリング状の連結具を嵌合固定し、前記回転ガイド溝には、前記挿入ガイド溝の近傍に位置して第１ピンストッパーを、また、この第１ピンストッパーとは反対側位置に第２ピンストッパーを突設する一方、内管のグリップの近傍には、リング状ストッパーと、前記挿入ガイド溝を経て回転ガイド溝内を移動可能に嵌合しうるガイド突起を設けたことを特徴とする二重管式穀刺。
【発明の詳細な説明】
【０００１】
【発明が属する技術分野】
本発明は、船舶、トラック、フレコン、麻袋等にバラ積された穀類や飼料等の粒状物サンプルを抽出して点検、検査する際に使用すると好適な穀刺、特に二重管式穀刺に係るもので、例えば、船舶にバラ積された穀類であれば、積まれた穀類を、上部から下部にわたる複数の深さから一度に抽出することが可能なものに関する。
【０００２】
【従来の技術】
従来の二重管式穀刺は、先端を閉じて尖らせた刺部となし、この刺部とは反対側の基端を開放したパイプ状の外管と、この外管に、密接状態で挿入可能となすとともに、該挿入状態でそれぞれの中心線を中心に前記外管と相対的に回転変位可能となし、その基端にグリップを設けたパイプ状の内管とからなり、前記外管の刺部近傍の側面に１つの外管穴部を設ける一方、前記内管の先端近傍に、前記挿入状態において前記外管穴部に対応位置する側面に内管穴部を有する１つのケース部を設けたものがある。
【０００３】
そして、上記従来の二重管式穀刺は、外管と内管をそれらの中心線上で相対的に回転変位させて、外管穴部と内管穴部が重ならない状態、すなわち、ケース部を閉じた状態となし、例えば、船舶にバラ積された穀類の上部から先端の刺部を挿し込み、穀類を抽出したい深さで止め、ここで前記外管と内管を前記とは反対方向に相対的に回転変位させ、外管穴部と内管穴部を重ねることによって、ケース部内に穀類を流し込み、続いて、再び外管と内管を相対的に回転変位させて、ケース部を閉じた状態となし、バラ積された穀類から引き抜き、外管穴部と内管穴部を前記と同様に重ねてケース部からサンプル穀類を取り出していた。
【０００４】
【発明が解決しようとする課題】
上記従来の二重管式穀刺は、例えば、船舶にバラ積された穀類を、上部から下部にわたり等間隔に複数部位から抽出する作業を行おうとすると、バラ積された前記穀物の抽出したい部分の深さに合わせて刺し込み抽出する、という動作を複数回行わなければならず、時間がかかるうえ、前記各深さにそれぞれ正確に刺し込むことは作業的に難しいという問題があった。本発明は、上記のような問題を解消することを課題とし、この課題を解決した二重管式穀刺を提供することを目的とする。
【０００５】
【課題を解決するための手段】
上記目的を達成するために、請求項１に記載した本発明は、先端を閉じて尖らせた刺部２となし、この刺部２とは反対側の基端を開放したパイプ状の外管３と、この外管３内に、密接状態で挿入可能となすとともに、該挿入状態でそれぞれの中心線を中心に前記外管３と相対的に回転変位可能となし、その基端にグリップ４を設けたパイプ状の内管５とからなり、前記外管３の側面に、前記刺部２近傍と前記基端の間に所定間隔をおいて複数の外管穴部６を一直線上に配置する一方、前記内管５に、前記挿入状態において前記各外管穴部６に対応位置し得る内管穴部７をそれぞれ側面に有し、軸方向両端面を閉鎖してなる前記外管穴部６と同数のケース部８を設けた二重管穀刺であって、外管３の基端には内周に回転ガイド溝９を形成し、この回転ガイド溝９から前記外管３とは反対側端まで伸びる挿入ガイド溝１０を設けたリング状の連結具１１を嵌合固定し、前記回転ガイド溝９には、前記挿入ガイド溝１０の近傍に位置して第１ピンストッパー９ａを、また、この第１ピンストッパー９ａとは反対側位置に第２ピンストッパー９ｂを突設する一方、内管５のグリップ４の近傍には、リング状ストッパー１２と、前記挿入ガイド溝１０を経て回転ガイド溝９内を移動可能に嵌合しうるガイド突起１３を設けたものである。
【０００６】
【発明の実施の形態】
以下に、本発明の好適な実施形態を添付図面の図１〜図７に基づいて詳細に説明する。ここにおいて、図１は正面図、図２は内管の正面図、図３はケース部が開かれた状態の拡大横断面図、図４はケース部が閉じられた状態の拡大横断面図、図５はケース部が閉じられた状態の部分拡大縦断面図、図６は外管に内管を挿入する途中の状態を示す部分拡大縦断面図、図７は外管の拡大平面図である。
【０００７】
図１〜図７に示すように、二重管式穀刺１は、先端を閉じて尖らせた刺部２となし、この刺部２とは反対側の基端を開放したパイプ状の外管３と、この外管３内に、その先端から密接状態で挿入可能となすとともに、該挿入状態でそれぞれの中心線を中心に前記外管３と相対的に回転変位可能となし、その基端にグリップ４を設けたパイプ状の内管５とからなる。前記外管３には、前記刺部２近傍と前記基端の間に一定間隔をおいて５つの外管穴部６を一直線上に配置する一方、前記内管５には、前記挿入状態において前記各外管穴部６に対応位置する側面に５つの内管穴部７を有するケース部８を設けてなる。
【０００８】
図６及び図７に示すように、外管３の基端（図１では上端）には、リング状で内周に回転ガイド溝９を形成し、この回転ガイド溝９から前記外管３とは反対側端まで伸びる挿入ガイド溝１０を設けた連結具１１が嵌合固定してある。また、前記回転ガイド溝９には、前記挿入ガイド溝１０の近傍に位置して第１ピンストッパー９ａを、また、この第１ピンストッパー９ａとは１８０度回転した位置に第２ピンストッパー９ｂを突設する。一方、内管５のグリップ４の近傍には、リング状ストッパー１２と、前記挿入ガイド溝１０を経て回転ガイド溝９内を移動可能に嵌合しうるガイド突起１３を設ける。
【０００９】
そして、外管３に内管５を挿入し、連結具１１とリング状ストッパー１２が接近したところで、内管５のガイド突起１３を、外管３の連結具１１の挿入ガイド溝１０を経て回転ガイド溝９に入れると、二重管式穀刺１が構成される（図１参照）。続いて、前記外管３に対して前記内管５を、相対的にほぼ１８０度反時計回り（図７において）に回転変位し、第２ピンストッパー９ｂにガイド突起１３が当たって止まる。なお、この第２ピンストッパー９ｂにガイド突起１３が当たって止まった状態は、各外管穴部６と各内管穴部７が重なって、ケース部８を開いた状態（図３参照）であり、また、前記外管３に対して内管５を、前記とは逆に時計回り（図７において）に回転変位し、第１ピンストッパー９ａに当たって止まった状態は、各外管穴部６と各内管穴部７が重ならず、ケース部８を閉じた状態（図４及び図５参照）である。
【００１０】
図５に示すように、内管５のケース部８は、各内管穴部７の軸方向両端部位にそれぞれ対応して竹の節状に、内管５の内部空間を仕切壁１４で仕切ることによって外管穴部６と同数形成するものであり、各ケース部８には外管穴部６と対応位置したそれぞれの内管穴部７から穀類などが確実に流出入する。
【００１１】
次に、上記二重管式穀刺１の使用方法を説明する。外管３と内管５をそれらの中心線上で相対的に回転変位させて、第２ピンストッパー９ｂにガイド突起１３が当たって止まった状態（図４及び図５に示すケース部８を閉じた状態）となし、例えば、船舶にバラ積された穀類の上部から先端の刺部２を船倉の床まで挿し込んだ後、前記外管３と内管５を前記とは反対方向に相対的に回転変位させて、第１ピンストッパー９ａにガイド突起１３が当たって止まった状態（図２に示すケース部８を開いた状態）となし、周囲の穀類をケース部８に流し込ませる。続いて、再び外管３と内管５を相対的に前記とは逆方向に回転変位させて、ケース部８を閉じた図４及び図５の状態となし、バラ積された穀類から引き抜き、外管穴部６と内管穴部７を重ねて各ケース部８を開き、その中からサンプル穀類をシートなどの上に取り出すのである。
【００１２】
なお、本発明は上記実施形態になんら限定されるものではなく、例えば、穀類の検査だけでなく、飼料など他の粒状物の検査に使用してもよい。また、ケース部８の数は、外管穴部６の数に応じて決定されるもので、上記実施形態のように５つではなく、２つ〜４つあるいは長さを延長して６つ以上設けでもよい。
【００１３】
【発明の効果】
以上説明したように請求項１に記載した本発明によれば、積まれた穀類などの粒状物を、上部から下部にわたる複数の深さから一度に抽出することが可能であり、短時間で粒状物の検査などを行うことができるという効果を奏する。
【図面の簡単な説明】
【図１】正面図。
【図２】内管の正面図。
【図３】ケース部が開かれた状態の拡大横断面図。
【図４】ケース部が閉じられた状態の拡大横断面図。
【図５】ケース部が閉じられた状態の部分拡大縦断面図。
【図６】外管に内管を挿入する途中の状態を示す部分拡大縦断面図。
【図７】外管の拡大平面図。
【符号の説明】
１    二重管式穀刺
２    刺部
３    外管
４    グリップ
５    内管
６    外管穴部
７    内管穴部
８    ケース部
９    回転ガイド溝
９ａ    第１ピンストッパー
９ｂ    第２ピンストッパー
１０    挿入ガイド溝
１１    連結具
１２    リング状ストッパー
１３    ガイド突起
１４    仕切壁
【図１】
0003600589.tif 000002
【図２】
0003600589.tif 000003
【図３】
0003600589.tif 000004
【図４】
0003600589.tif 000005
【図５】
0003600589.tif 000006
【図６】
0003600589.tif 000007
【図７】
0003600589.tif 000008